(57)【要約】  本発明による安全包袋装置は、伝導性の糸の層が組み込まれた難切断性テキスタイル構造から構成される。この伝導性の糸の層は、機械的負荷を受けると警報信号を発する。難切断性の編み上げスペーサ布を使用する場合は、上部側の内面と、全下部側またはその内面とが伝導性である。上部側と下部側との間に、スペーサ糸に平行である付加的な貫通横糸がスペーサとして配置される。これは、圧力が加えられた場合のいかなる意図せざる接触をも避けるためである。
2014504914.tif 000002
【特許請求の範囲】
【請求項１】
組込み型の対切断抵抗力と、ＧＰＳの位置特定による探出機能と、難切断性のテキスタイル構造からなる警報装置とを有する安全包袋装置において、
前記安全包袋装置（１）の外被表面（２）が層構造を有し、
その場合、少なくとも２つの内部導電層が絶縁層によって分離され、前記層を先に突き刺すことによって前記安全包袋装置を切開しようとする行為がなされた場合には、前記少なくとも２つの内部導電層が電気的に短絡され、それによって警報が発せられる、
ことを特徴とする安全包袋装置。
【請求項２】
用いられる前記難切断性のテキスタイル構造が、上部側（４）および下部側（６）を有する編み上げスペーサ布であり、前記上部側（４）および下部側（６）の内面（５）および（７）は、非導電性の貫通横糸（９）によって離して保持される導電性の部分横糸（１２）から構成される、ことを特徴とする請求項１に記載の安全包袋装置。
【請求項３】
用いられる前記難切断性のテキスタイル構造が、複合材の内部に２枚の伝導性シート状構造を含む複合編み上げ布であり、前記シート状構造は、中間に配置される低い貫入抵抗の絶縁層によって電気的に分離される、ことを特徴とする請求項１に記載の安全包袋装置。
【請求項４】
前記安全包袋装置が、層組成物中のグラフェン部分からなる導電性被膜と、前記テキスタイル複合材の内部に配置される伝導性の糸からなる糸の層とを、突き刺し事象が発生した場合には電気信号が発せられるような態様において含む、ことを特徴とする請求項１に記載の安全包袋装置。
【請求項５】
前記安全包袋装置がサイレントアラーム機能を含み、前記安全包袋装置を切開する行為がなされた場合には、導電層が接続される結果として、前記サイレントアラーム機能が作動して信号を伝達する、ことを特徴とする請求項１〜４のいずれか一項に記載の安全包袋装置。
【請求項６】
前記安全包袋装置が音声アラーム機能を含み、前記安全包袋装置を切開する行為がなされた場合には、導電層が接続される結果として、前記音声アラーム機能が作動して信号を伝達する、ことを特徴とする請求項１〜５のいずれか一項に記載の安全包袋装置。
【請求項７】
前記安全包袋装置が、その内部に、モジュール（３）、好ましくはＧＰＳの位置特定用のＳＩＭカードを含む、ことを特徴とする請求項１〜６のいずれか一項に記載の安全包袋装置。
【請求項８】
前記安全包袋装置が、層組成物中のセラミック粒子からなる難切断性の被膜を含む、ことを特徴とする請求項１〜７のいずれか一項に記載の安全包袋装置。
【請求項９】
前記安全包袋装置が、層組成物中のガラスビーズまたはガラスの中空マイクロスフェアからなる難切断性の被膜を含む、ことを特徴とする請求項１〜８のいずれか一項に記載の安全包袋装置。
【発明の詳細な説明】
【技術分野】
【０００１】
難切断性テキスタイル材料製の安全包袋装置は、特に、警報機能によって機械的損傷または盗難に対して防護される、例えば、携行用バッグ、自転車および単車の荷物ケース、ベルトバッグおよびバックパックのようなスーツケースおよびバッグに関係している。
【背景技術】
【０００２】
軽犯罪および破壊行為の増大に伴って、貴重品を輸送するために、破壊行為および窃盗に対して抵抗力のあるフレキシブルな輸送容器、例えば貴重荷物用のバッグ、手荷物用のバッグなどが探求されている。使用されるテキスタイル構造を機械的に防護するために、対切断抵抗力を改善する多くの解決策が存在する。バネ鋼のワイヤおよび／またはパラアラミドのフィラメント糸が補強材として用いられる。高い切断抵抗を達成するためには、いわゆるケーブル効果を形成する必要がある。これは、切断用具に対する高い抵抗力を呈する糸の集合体である。この効果は、緩やかに固定されかつ容易に変位可能な補強用の糸であって、浮き編によって交互に組み込まれる補強糸によって実現される（ドレスデン工科大学のＡＩＦ最終報告書３３ＺＢＲ／１／Ｖ）。
【０００３】
さらに、難切断性の層を、製造と併せて別個の表面として組み込むことも周知されている。この目的に対して、欧州特許出願公開第０４４１９１９Ａ１号明細書は、被輸送製品を包装するための対開裂伝播抵抗力を有するテキスタイル構造を記述している。前記テキスタイル構造は、金属の編み上げネットが中間に配置された２層の織布から構成される。
【０００４】
後続の成層用の閉止頂面と、直交型、ダイヤモンド形または六角形配置の補強糸を備えた格子状の背面側とを有する難切断性の複合構造が、シート状のスペーサ構造として、両面たて編み機上において製造された（Ｆｉｎｋｅｌｍｅｙｅｒ、「Ｔｅｃｈｎｉｓｃｈｅ  Ｔｅｘｔｉｌｉｅｎ」誌、４４（２００１）、ｐ３２、３４−３５）。
【０００５】
手荷物、基本的にはハンドバッグの安全を電子的に確保するために、非常に声高のサイレンが内側に配置される。前記サイレンは携行者の手首に配置される一種のリップコードと共に用いられる。盗難が発生してバッグがひったくられると連続的な音調が発せられて、容易には停止し得ない。
【０００６】
Ｉｎｆｉｎｅｏｎ  Ｔｅｃｈｎｏｌｏｇｉｅｓ株式会社は、大面積のテキスタイルに、種々の監視機能用として用いることができる情報機能を装備する方法を見出した。この目的のため、マイクロエレクトロニクスモジュールがテキスタイル構造の中に組み込まれる（例えばｈｔｔｐ：／／ｗｗｗ．ｔｅｘｂａｃ．ｄｅ／ｈｔｍｌ／ｉｎｔｅｌ＿ｔｅｐｐｉｃｈ．ｈｔｍｌ参照）。
【０００７】
個人または物品を探し出しまたはその位置を特定するためにＧＰＳ装置が用いられる。いわゆる「何処かを知る（Ｋｎｏｗ  Ｗｈｅｒｅ）」解決策の適用分野は実際には無制限である。このため、対応するエレクトロニクス製品が、ＧＰＳアンテナと一緒に、例えば衣類の中に組み込まれる。
【発明の概要】
【発明が解決しようとする課題】
【０００８】
本発明の目的は、難切断性であり、損傷を受けた場合には警報を発し、かついつでも位置を特定できる安全包袋装置を作り出すことにある。この位置の特定は、ＧＰＳによる内部位置決定を介して行われ、ＧＳＭ（登録商標）モジュールの形態の伝送ユニットによって、安全包袋装置の所有者または規定された他の何らかの受信者に伝達されるものとする。
【課題を解決するための手段】
【０００９】
本発明による安全包袋装置は、伝導性の糸の層が組み込まれた既知の難切断性テキスタイル構造から構成される。この伝導性の糸の層は、機械的負荷を受けると警報信号を発する。難切断性の編み上げスペーサ布を使用する場合は、上部側の内面と、全下部側またはその内面とが伝導性である。上部側と下部側との間に、スペーサ糸に平行である付加的な貫通横糸がスペーサとして配置される。これは、圧力が加えられた場合のいかなる意図せざる接触をも避けるためである。
【００１０】
本発明によれば、安全包袋装置用として、難切断性の複合編み上げ布であって、絶縁層が中間に配置された２枚の伝導性のシート状構造をその内部に含む複合編み上げ布を用いことも可能である。２つのテキスタイル構造の場合には、切断用具が突き刺されると、伝導層の間に電気的接触が形成され、その結果として、包袋装置に重大な損傷が及ぶことなく、警報が直ちに発せられる。盗まれた安全包袋装置は、包袋装置の中に組み込まれたＧＰＳ装置によって、探し出しあるいはその位置を特定することができる。
【００１１】
次に、本発明を、図面に表現した典型的な実施形態によってさらに詳しく説明する。
【図面の簡単な説明】
【００１２】
【図１】スーツケースとしての安全包袋装置を示す。
【図２】接触域およびスペーサが組み込まれた難切断性編み上げスペーサ布を、縫い目の列の方向の断面表現として示す。
【図３】接触域およびスペーサが組み込まれた難切断性編み上げスペーサ布を、縫い目のウェールの方向の断面表現として示す。
【図４】上部側および下部側の内側の領域における伝導性糸の位置を示す。
【図５】接触域が組み込まれた難切断性の複合編み上げ布を示す。
【発明を実施するための形態】
【００１３】
以下の構成要素が示されている。
１    安全包袋装置
２    外被表面
３    ＧＰＳ装置
４    編み上げスペーサ布の上部側
５    上部側の内側
６    編み上げスペーサ布の下部側
７    下部側の内面
８    スペーサ糸
９    スペーサとしての非導電性貫通横糸
１０  それぞれ裏面側および内面から見た編み上げスペーサ布の上部側および下部側
１１  縫い込み糸
１２  導電性部分横糸
１３  不織布、編み上げ布または織布製の上部側
１４および１４’  導電性フィルムまたは金属化不織布
１５  不織布、フィルムまたは紙としての絶縁材料
１６  対切断抵抗力用の補強糸
１７  不織布、織布または編み上げ布製の下部側
１８  縫い込み結合
【００１４】
安全包袋装置は、スーツケース、携行用バッグ、単車の荷物ケース、自転車の荷物ケース、バックパック、貴重荷物用のバッグ、ベルトバッグ、あるいは、任意の所望の形状を有する他のいくつかのフレキシブルな輸送容器の形態にすることができる。安全包袋装置１の外被表面２は既知の難切断性テキスタイル構造から構成される。上部側４および下部側５を有する編み上げスペーサ布を使用することが望ましい。その場合、上部側および下部側の内面５および７は導電性の（部分的）横糸１２から構成され、その（部分）横糸１２は、圧力を強く受けた場合にも伝導性の結合が生じないように貫通横糸９によって離して保持される。スペーサ糸８はテキスタイル表面の正規の間隔を確保する。安全包袋装置には、ＧＰＳ装置が、外側から見えないように組み込まれる。金属の刃物が安全包袋装置に突き刺さると、上部側の内面５および下部側の内面７を構成する伝導性の糸１２の間に電気的な接続が形成され、その結果として警報が発せられる。警報装置は安全包袋装置の中に組み込まれる。必要な場合には、警報を、中央のセキュリティステーションおよび／または所有者の携帯電話に、好ましくはサイレントアラームとして伝送することも可能である。難切断性は、既知の方法で組み込まれるスチールワイヤ、金属の糸、あるいはパラアラミド糸によっても確保される。
【００１５】
難切断性のテキスタイル構造として、次のような複合編み上げ布を用いることも可能である。すなわち、複合材の内部に、フィルム、不織布、織布または編み上げ布１４製の２枚の伝導性シート状構造であって、中間に配置される高い柔軟性と低い貫入抵抗とを有する非導電性の絶縁層１５によって電気的に分離される２枚の伝導性シート状構造を含む複合編み上げ布である。複合材の上部側１３は、予備製作されたシート状構造から構成することができる。このシート状構造は、例えば、必要に応じて、セラミック物質、ガラスビーズまたはグラフェン部分を被膜組成物中に含む難切断性の被膜材料で被膜処理することができる不織布または織布のようなものである。被膜組成物中のグラフェン部分は、切断抵抗に加えて、層に導電性を付与することもできる。別の伝導層をテキスタイル複合材の中に配置すると、金属物体（ナイフ）が貫通した際に短絡回路が生じる。
【００１６】
複合材には、対切断抵抗力用の補強糸１６も配置される。複合構造の下部側１７は、任意の所望のシート状構造から構成することができる。しかし、糸複合材によって閉止表面を実現することも可能である。
【００１７】
警報は、安全包袋装置を突き刺す行為がなされた時に、導電性の糸材料、被膜またはフィルムが、切断および導電性構造の接触の結果として電気的に接続されることによって発せられる。
【図１】
2014504914.tif 000003
【図２】
2014504914.tif 000004
【図３】
2014504914.tif 000005
【図４】
2014504914.tif 000006
【図５】
2014504914.tif 000007
【国際調査報告】
2014504914.tif 000008
2014504914.tif 000009
2014504914.tif 000010
2014504914.tif 000011
2014504914.tif 000012
2014504914.tif 000013